(57)【要約】【課題】撮影前に予め設定することなく、音声録音を容易に行うことができるデジタルカメラを提供することを目的とする。【解決手段】マイクに入力される音量レベル及び音声持続時間を計測し（Ｓ４４）、計測結果に基づいて、音声データを記録媒体に記録するフラグをセットする（Ｓ４６〜Ｓ５６）。そして、フラグに基づいて、音声データを記録媒体に記録する（Ｓ６２、Ｓ６４）。また、音声録音は、最大３０秒後に終了し（Ｓ６０）、３０秒を満たない時間で、次ぎの撮影のための操作等が行われた場合には、音声録音を終了する（Ｓ５８）。【選択図】　　　　図５
2004023160.tif 000002
【特許請求の範囲】
【請求項１】
音声を検出する検出手段と、
被写体を撮影する撮影手段の撮影が指示されたとき、前記検出手段の検出結果から、前記音声の音量レベル及び該音量レベルが所定音量レベルを越えた持続時間を計測する計測手段と、
前記計測手段の計測結果に基づいて、音声を録音する録音手段と、
を含むデジタルカメラ。
【請求項２】
前記検出手段は、被写体の撮影を行った後に、前記検出を開始することを特徴としている請求項１に記載のデジタルカメラ。
【請求項３】
前記録音手段は、録音経過時間、所定音量レベル以下の持続時間、または次の撮影指示に関する指示を表す所定条件が満たされたときに、前記録音を終了することを特徴とする請求項１又は請求項２に記載のデジタルカメラ。
【発明の詳細な説明】
【０００１】
【発明の属する技術分野】
本発明は、デジタルカメラにかかり、特に、被写体を撮影すると共に、撮影の際の音声を録音することが可能なデジタルカメラに関する。
【０００２】
【従来の技術】
近年、簡便に撮影可能なＣＣＤ撮像素子などを有した撮像装置として、デジタルカメラが数多く流通している。デジタルカメラは、その撮影時には、レリーズスイッチを操作することをトリガとして、ＣＣＤ撮像素子などで光量に応じた電荷（光電変換）を画素毎に読み取って、画像データに変換した後に、撮影画像を画像データとして磁気記録媒体などの記録媒体に記録している。
【０００３】
撮影から記録までの過程では、撮影コマ毎に、主な処理として、撮影画像のデジタル変換、撮影画像表示のための画像作成、そして撮影画像を記録するための記録処理の各々が行われている。
【０００４】
このように、デジタルカメラでは、レリーズスイッチの操作で撮像画像の記録を簡単に行うことができる。
【０００５】
また、この種のデジタルカメラの中には、被写体の画像だけでなく、音声も記録可能なデジタルカメラも提案されてきている。例えば、特開平１１−１８０４１号公報に記載の技術では、メモリカードに、ユーザが録音制御を可能にするモードを選択したか否かを示す情報を格納する。レリーズスイッチが全押し状態にされると、撮影処理を実行し、撮影された画像をＬＣＤにフリーズして表示すると共に、音声の録音処理を開始する。ユーザが録音制御を可能とするモードを選択したことを示す情報がメモリカードに記録されている場合であって、録音処理中にレリーズスイッチが全押し状態とされた場合には、録音処理を中止して新たな画像と音声の記録を行う。また、同様の場合であってレリーズスイッチが半押し状態とされた場合には、録音処理を中止し、電子ビューファインダモードに移行する。さらに、録音制御を不可能とするモードに設定されている場合には、操作の有無によらず１０秒間だけ音声を記録して処理を終了する。このようにすることによって、録音終了のタイミングを変更している。
【０００６】
【発明が解決しようとする課題】
しかしながら、特開平１１−１８０４１号公報に記載の技術では、音声録音を行う際に、撮影前に予め設定しておく必要があり、設定を行う操作が煩雑となる、という問題がある。
【０００７】
本発明は、上記問題を解決すべく成されたもので、撮影前に予め設定することなく、音声録音を容易に行うことができるデジタルカメラを提供することを目的とする。
【０００８】
【課題を解決するための手段】
上記目的を達成するために請求項１に記載の発明は、音声を検出する検出手段と、被写体を撮影する撮影手段の撮影が指示されたとき、前記検出手段の検出結果から、前記音声の音量レベル及び該音量レベルが所定音量レベルを越えた持続時間を計測する計測手段と、前記計測手段の計測結果に基づいて、音声を録音する録音手段と、を含むことを特徴としている。
【０００９】
請求項１に記載の発明によれば、検出手段では、音声が検出され、計測手段では、被写体を撮影する指示がされたとき、検出手段によって検出された音声の音量レベル及び所定音量レベルを越えた持続時間が計測される。
【００１０】
そして、録音手段では、計測手段の計測結果に基づいて、音声を録音する。例えば、録音手段は、計測手段の計測結果に基づいて、音声を録音するか否かを判断する判断手段を含み、該判断手段の判断結果に応じて音声を録音する。
【００１１】
例えば、音声を録音しようとする際には、録音対象となる音声が所定の音量レベル以上で、所定音量レベルを越える持続時間が所定時間以上となるので、所定の音量レベル以上かつ所定の持続時間以上であるときに、音声録音すると判断することによって、音声を録音するか否かを判断することが可能であり、録音手段は、該判断結果に応じて音声を録音する。すなわち、判断結果が音声を録音しないと判断した場合には、録音がされずに、判断結果が音声を録音すると判断した場合には、音声が録音される。
【００１２】
すなわち、撮影に関する音声を録音する場合には、録音する音声を撮影時や撮影後の予め定めたタイミングで音声を検出することにより、録音するか否かを自動的に決定することができ、必要な音声を録音することが可能となる。従って、撮影に関する音声を録音するか否かを予め設定しておくことなく、撮影に関する音声の録音が可能となる。
【００１３】
検出手段の検出タイミングは、例えば、請求項２に記載の発明のように、被写体の撮影を行った後に、検出手段による検出を開始するようにしてもよい。このように被写体の撮影を行った後に続いて撮影に関する音声を録音することによって、撮影に関する音声を録音することができる。また、撮影後に録音するための処理を行うため、比較的安価な処理装置で実現することが可能となる。
【００１４】
請求項３に記載の発明は、請求項１又は請求項２に記載の発明において、前記録音手段は、録音経過時間、所定音量レベル以下の持続時間、または次の撮影指示に関する指示を表す所定条件が満たされたときに、前記録音を終了することを特徴としている。
【００１５】
請求項３に記載の発明によれば、請求項１又は請求項２に記載の発明において、録音手段が、所定の条件が満たされたときに、撮影に関する音声の録音を終了することによって、自動的に音声録音を終了することが可能となる。例えば、所定の条件としては、予め定められた録音経過時間を表すとき、所定音量レベル以下の持続時間、次の撮影の指示を行う操作がなされたとき、予め定められた録音終了を表す指示が行われたとき等の条件が満たされたときに、録音を終了させることが可能である。
【００１６】
【発明の実施の形態】
以下、図面を参照して本発明の実施の形態の一例を詳細に説明する。
【００１７】
図１（Ａ）、（Ｂ）に示すように、デジタルカメラ１０の本体１２は略箱型で、正面から見て左側に、本体１２の把持を容易とするための突起（把持部）が形成された形状とされている。本体１２の正面側中央にはレンズ１４が取り付けられた鏡筒１５が設けられており、本体１２のレンズ１４上方には、低照度での撮影等の場合に補助光を発するためのストロボ１８、ユーザが撮影範囲等を目視で確認するための光学ファインダ１６が取り付けられている。
【００１８】
また、ストロボ１８の近傍の位置には、ストロボ発光時に被写体で反射して戻ってきたストロボ光の光量を検出するストロボ受光センサにストロボ光を導くためのストロボ受光窓３８、及び内蔵されたＡＥセンサに光を導くためのＡＥ受光窓４０が備えられている。
【００１９】
さらに、本実施の形態に係わるデジタルカメラ１０は、音声録音が可能とされており、本体１２の正面には、音声録音するための後述するマイクが本体１２内部に設けられたマイク用スリット８６が設けられており、音声が当該スリット８６を介して後述するマイクに入力されるようになっている。
【００２０】
本体１２の上面には、正面から見て右側に電源スイッチ２０が、左側（把持部に対応する位置）にレリーズスイッチ２２が各々設けられており、本体１２の正面から見て右側面には、メモリカード（図示省略）を装填可能なスロット２４が設けられている。
【００２１】
また、デジタルカメラ１０の正面から見て右側面には、このデジタルカメラ１０に内蔵に設けられた内蔵メモリやスロット２４に装填されるメモリカードに記録された画像データを外部に送出するためのＵＳＢ（Ｕｎｉｖｅｒｓａｌ　Ｓｅｒｉａｌ　Ｂｕｓ）ケーブルが接続されるＵＳＢ端子４２、及び内蔵メモリやメモリカードに記録された画像データを、携帯電話を使用して外部に送信において、携帯電話との接続時に使用される携帯電話用端子４４が備えられている。
【００２２】
更に、携帯電話用端子４４の下方には、交流電源から電源を得るためのＡＣアダプタを接続するＡＣアダプタ接続口２８が設けられており、交流電源をデジタルカメラ１０に供給可能なように構成されている。
【００２３】
また、図１（Ｂ）に示すように、本体１２の背面には、透過型液晶（半透過型液晶でもよい）からなるカラーディスプレイ２６が設けられており、ディスプレイ２６は、蛍光管やＬＥＤ等によって構成されるバックライトを備えた構成とされている。なお、ディスプレイ２６は光学ファインダ１６の機能も有する。
【００２４】
本体１２の背面には、向かって右側に、選択スイッチ３４、メニュースイッチ３０、実行／画面切換スイッチ３２、及びキャンセルスイッチ３６が設けられている。なお、選択スイッチ３４は、メニュースイッチ３０を押下することによって表示されたメニュー画面等のモード等を選択するためのスイッチであり、その実行は実行／画面切換スイッチ３２で行う。また、キャンセルスイッチ３６は種々のモード等をキャンセルするためのスイッチである。
【００２５】
さらに、本体１２の背面には、撮影モードを切り替える撮影モード切替スイッチ８２が設けられており、該撮影モード切替スイッチ８２を操作することによって、静止画を撮影する静止画撮影モードと、動画を撮影する動画撮影モードと、静止画撮影と動画撮影を同時に行う同時撮影モードと、の切り替えを行うようになっている。
【００２６】
図２にはデジタルカメラ１０の電気系の構成が示されている。レンズ１４は、詳しくはズームレンズ（焦点距離可変レンズ）からなり、ズーム機構は駆動回路４６によって駆動される。また、オートフォーカス（ＡＦ）機構４７も備え、ＡＦ機構４７も同様に駆動回路４６によって駆動される。なお、ズームレンズに代えて、ＡＦ機構４７のみを備えた焦点距離可変レンズを用いてもよい。
【００２７】
本体１２の内部におけるレンズ１４の焦点位置に相当する位置には、撮影手段としてのエリアＣＣＤセンサ等で構成される撮像素子５０が配置されており、被写体を反射してレンズ１４に入射された光は撮像素子５０の受光面に結像される。撮像素子５０は、受光面上にマトリクス状に配列された多数個の光電変換セルの各々における受光量を表すアナログ信号を画像信号として出力する。撮像素子５０は、駆動回路４６に接続されているタイミング信号発生部によって発生されたタイミング信号に同期したタイミングで駆動されて画像信号を出力する。
【００２８】
レンズ１４と撮像素子５０との間には絞り４８が配置されている。絞りは連続的に変更可能な単一な絞りで構成してもよいし、絞り量が異なる複数の絞りを切り替える構成としてもよい。
【００２９】
タイミング信号発生部５２には、さらにストロボ１８の発光を制御するストロボ制御回路５４も接続されており、ストロボ１８は低照度であることが検出された場合や、ユーザによって発光が指示された場合にタイミング信号発生部５２によって発生されたタイミング信号に同期したタイミングで発光制御される。
【００３０】
撮像素子５０の信号出力端には、サンプリング部５６、Ａ／Ｄ変換器５８、信号処理部６０、メモリ６２、及び圧縮／伸張部６４が順に接続されており、それぞれシステムバス６８に接続され、システムバス６８に接続されたシステム制御部７０によって統括的に制御されるようになっている。
【００３１】
サンプリング部５６では、撮像素子５０から出力された画像信号をタイミング信号発生部５２によって発生されたタイミング信号に同期したタイミングでサンプリングすると共に、増幅してＡ／Ｄ変換器５８へ出力する。サンプリング部５６は、図示しないＣＤＳ（Ｃｏｒｒｅｌａｔｅｄ　Ｄｏｕｂｌｅ　Ｓａｍｐｌｉｎｇ：相関二重サンプリング：以下ＣＤＳという）部を含んで構成されている。ＣＤＳ部は、例えば、ＣＣＤ型の撮像素子を用いて、基本的にその素子により生じる各種のノイズをタイミング信号発生部からのタイミング信号によりクランプするクランプ回路と、タイミング信号によりアナログ電圧信号をホールドするサンプルホールド回路を有する。ＣＤＳ部は、ノイズ成分を除去してアナログの出力信号として画像信号をＡ／Ｄ変換器５８に送る。サンプリング部５６から出力された画像信号は、Ａ／Ｄ変換器５８によってデジタルの画像データに変換されて信号処理部６０へ入力される。信号処理部６０では、入力された画像データに対して色補正・γ補正・Ｙ／Ｃ変換等の各種処理を行う。信号処理部６０から出力された画像データは、ＲＡＭ等で構成されたメモリ６２に一時記録される。そして、レリーズスイッチ２２の操作がなされた場合に、圧縮／伸張部６４で圧縮されてから内蔵メモリ８４又はスロット２４に装填されたメモリカード８０に格納されるようになっている。
【００３２】
また、システムバス６８には、ディスプレイ２６も接続され、撮影によって得られる画像データに基づく画像の表示が可能とされている。
【００３３】
さらに、システムバス６８には、上述のＵＳＢ端子４２、携帯電話用端子４４、音声を録音するためのマイク６６、及びレリーズスイッチ２２を含む各種操作スイッチ（メニュースイッチ３０、実行／画面切換スイッチ３２、選択スイッチ３４、キャンセルスイッチ３６、撮影モード切換スイッチ８２等）７４が接続された入出力インターフェース（Ｉ／Ｆ）７６が接続されており、各種操作スイッチ７４の操作に応じた制御がなされるようになっている。
【００３４】
すなわち、レリーズスイッチ２２が操作された等により、内蔵メモリ８４又はスロット２４に装填されたメモリカード８０への画像データの格納が指示された場合、システム制御部７０はメモリ６２に一時記録されている画像データを読み出して圧縮／伸張部６４へ転送する。これにより、画像データは圧縮／伸張部６４で圧縮された後に内蔵メモリ８４又はメモリカード８０に格納される。なお、撮影する際のモードによって画像デーがが圧縮されることなく内蔵メモリ８４又はメモリカード８０に格納される場合もある。
【００３５】
また、内蔵メモリ８４又はスロット２４に装填されたメモリカード８０に格納されている画像データが表す画像の再生（表示）が指示された場合には、内蔵メモリ８４又はスロット２４に装填されたメモリカード８０から画像データが読み出され、読み出された画像データが圧縮／伸張部６４で伸張（解凍）された後、メモリ６２に一時記録される。そして、メモリ６２に一時記録された画像データを用いてディスプレイ２６への画像の表示（再生）が行われる。
【００３６】
次に、上述のように構成されたデジタルカメラ１０の作用について、図３〜６に示すフローチャートを参照して説明する。
【００３７】
図３は、図１に示す電源スイッチ２０をオンした時に起動される‘電源オン’プログラムを示すフローチャートである。なお、オートフォーカス機能、自動露出機能等については省略して説明する。
【００３８】
はじめに、電源スイッチ２０がオンされると、ステップＳ１０では、システムのリセットが行われる。なお、このとき、レンズ１４を保護するレンズバリアを有する場合には、同時にレンズバリアを開放するようにしてもよい。
【００３９】
ステップＳ１２では、現在選択されているモードが撮影モードか否か判定される。該判定は、撮影モード切替スイッチ８２の状態に応じて判定され、判定が肯定されるとステップＳ１４へ移行して、撮影モードが起動される。
【００４０】
ここで、撮影モードについて図４のフローチャートを参照して説明する。
【００４１】
ステップＳ２０では、撮影モードが起動されると、撮像デバイス５０から出力される画像データが表す撮影画像の、カラーディスプレイ２６への表示が行われる。
【００４２】
続いてステップＳ２２では、現在のモードが撮影モードか否か判定される。該判定が否定された場合には、このサブルーチンを抜けて‘電源オン’プログラムのステップＳ１２へ戻る。
【００４３】
ステップＳ２２の判定が肯定された場合には、ステップＳ２４へ移行して、図１（Ｂ）に示す実行／画面切換スイッチ３２がオンされているか否か判定される。該判定が肯定された場合には、ステップＳ２６へ移行して、撮像デバイス５０からの画像標示及び撮影可能枚数などのシステム情報のうち、現在表示されていない方の表示を行う、画像表示の切換が行われ、ステップＳ２８へ移行する。
【００４４】
一方、ステップＳ２４の判定が否定された場合には、そのままステップＳ２８へ移行する。
【００４５】
ステップＳ２８では、レリーズスイッチ２２がオンされたか否か判定される。該判定が否定された場合には、ステップＳ２２へ戻って、上述の処理が繰り返される。
【００４６】
また、ステップＳ２８の判定が肯定された場合には、ステップＳ３０へ移行して、撮影によって得られる画像データが内蔵メモリ８４やメモリカード８０等の記録媒体に記録される。すなわち、レリーズスイッチ２２が操作されることにより、内蔵メモリ８４又はスロット２４に装填されたメモリカード８０への画像データの格納が指示された場合、システム制御部７０はメモリ６２に一時記録されている画像データを読み出して圧縮／伸張部６４へ転送する。これにより、画像データは圧縮／伸張部６４で圧縮された後に内蔵メモリ８４又はメモリカード８０に格納される。
【００４７】
続いて、ステップＳ３２では、録音処理が行われる。すなわち、撮影時における周囲の音声がマイク６６によって取得されて音声データとして録音が行われる。
【００４８】
なお、録音処理は、図５のフローチャートに沿って行われる。すなわち、ステップＳ４０では、音声データを記録媒体に記録するためのフラグがクリアされる。
【００４９】
ステップＳ４２では、音声記録モードが開始される。すなわち、録音時間を計測するためのタイマがセットされる。
【００５０】
ステップＳ４４では、音量レベル及び音声持続時間が計測される。すなわち、マイク６６を介して入力されることによって得られる音声データの音量レベル及び当該音声の持続時間が計測される。
【００５１】
ステップＳ４６では、計測された音量レベルが所定値以上で所定時間継続しているか否か判定される。該判定が肯定された場合には、ステップＳ４８へ移行する。
【００５２】
ステップＳ４８では、マイク６６によって取得される音声データを記録媒体に記録するフラグが既にセットされているか否か判定される。該判定が否定された場合には、ステップＳ５０へ移行して、タイマがリセット後リスタートされて、ステップＳ５２へ移行する。ステップＳ５２では、音声データを記録媒体に記録するフラグがセットされる。そして、ステップＳ５４で、音声データがメモリ６２に一時記録されていき、ステップＳ５７へ移行する。
【００５３】
また、ステップＳ４８の判定が肯定された場合には、そのままステップＳ５４へ移行して、フラグがセットされずに音声データがメモリ６２に一時記録される。
【００５４】
一方、ステップＳ４６の判定が否定された場合には、ステップＳ５６へ移行して、マイク６６によって取得される音声データを記録媒体に記録するフラグが既にセットされているか否か判定される。該判定が否定された場合には、後述するステップＳ５７へ移行し、該判定が肯定された場合には、上述のステップＳ５４へ移行する。
【００５５】
ステップＳ５７では、所定値以下の音量レベルが所定時間継続したか否か判定される。該判定が否定された場合には、ステップＳ５８へ移行し、該判定が肯定された場合には、後述のステップＳ６２へ移行する。
【００５６】
ステップＳ５８では、レリーズスイッチ２２等の録音処理以外の操作又は録音処理を終了するための操作がなされたか否か判定される。なお、本実施の形態では、録音処理中にレリーズスイッチ２２を操作することによって録音処理を終了するようになっているものとして説明する。
【００５７】
ステップＳ５８の判定が否定された場合には、ステップＳ６０へ移行して、音声記録モードが３０秒経過したか否か判定される。すなわち、セットされたタイマが３０秒を超えたか否か判定され、該判定が否定された場合には、ステップＳ４４へ戻って、上述の処理が繰り返され、ステップＳ６０の判定が肯定された場合には、ステップＳ６２へ移行する。
【００５８】
一方、ステップＳ５８の判定が肯定された場合には、そのままステップＳ６２へ移行する。
【００５９】
ステップＳ６２では、音声データを記録媒体に記録するフラグがセットされているか否か判定され、該判定が肯定された場合には、ステップＳ６４へ移行して、メモリ６２に一時記録されている音声データを記録媒体に記録して、録音処理を終了し、ステップＳ６２の判定が否定された場合には、そのまま録音処理を終了する。なお、メモリ６２に一時記録された音声データは、録音処理の終了時に消去するようにしてもよい。
【００６０】
すなわち、本実施の形態に係わるデジタルカメラ１０の録音処理では、レリーズスイッチ２２が操作されて撮影処理（図４に示すステップＳ２０〜Ｓ３０）後に、デジタルカメラ１０は音声記録モードへ移行する。そして、撮影画像に音声も付加して記録したい場合には、デジタルカメラ１０のマイク６６に向かって音声を吹き込むことによって、音声が録音され、音声記録は最大３０秒後に終了する。３０秒を満たない時間で、所定の音量レベル以下が所定期間継続した場合や次の撮影のためのレリーズスイッチ２２操作等がなされた場合には、音声記録を終了し、撮影動作へ移行する。また、デジタルカメラ１０のマイク６６に向かって音声を吹き込まなかった場合には、録音処理終了時（音声記録開始から３０秒経過、或いはレリーズスイッチ２２等の操作など）に、データを記録媒体に記録しないようなしている。
【００６１】
従って、撮影後に音声記録を行うか否かを撮影前に予め設定しておく必要がなく、必要なときに音声も付加した撮影を行うことができる。
【００６２】
なお、ステップＳ４４は本発明の検出手段に相当し、ステップＳ４４及びステップ４６は本発明の計測手段に相当し、ステップＳ６２及びステップＳ６４は本発明の録音手段に相当する。
【００６３】
ここで、図３に示す‘電源オン’プログラムのステップＳ１２へ戻って説明する。
【００６４】
ステップＳ１２の判定が否定、すなわち、モードが撮影モードでないと判定された場合には、ステップＳ１６へ移行して、再生モードが起動される。
【００６５】
次に、再生モードについて図６のフローチャートを参照して説明する。
【００６６】
ステップＳ７０では、現在のモードが再生モードか否か判定される。該判定が否定された場合には、‘電源オン’プログラムのステップＳ１２へ戻る。
【００６７】
ステップＳ７０の判定が肯定された場合には、ステップＳ７２へ移行して、既に記録済みの画像データのメモリ６２上のアドレスを表すポインタにより、現在、指定されているアドレスに記録された画像がカラーディスプレイ２６に再生表示され、ステップＳ７４へ移行する。
【００６８】
ステップＳ７４では、選択スイッチ３４による再生画像の選択が行われているか否か判定される。該判定が肯定された場合には、ステップＳ７６へ移行して、他の記録済み画像が再生表示されるようにポインタのインクリメントが行われ、ステップＳ７２へ戻る。
【００６９】
一方、ステップＳ７４の判定が否定された場合には、このサブルーチンを抜けて‘電源オン’プログラムのステップＳ１２へ戻る。
【００７０】
このように本実施の形態に係わるデジタルカメラ１０では、撮影に関する音声についても録音することができ、その音声の録音時には、撮影に関する音声録音をする指示を予め行うことなく、音声を吹き込むだけで自動的に音声を録音することができる。また、所定の音量レベル以下または所定の持続時間以下の必要のない音声については録音しないので、必要な音声のみを録音することができる。
【００７１】
なお、上記の実施の形態では、撮影後に録音処理を行うようにしていたが、撮影と同時に録音処理を行うようにしてもよいし、撮影前に所定の条件が満た時（例えば、上述のように所定の音量レベル以上の音声が所定時間以上持続した場合等）に、録音開始して一旦メモリに音声データを記憶し、レリーズスイッチ２２が操作されて撮影が行われたときに、記録媒体に音声データを記録するようにしてもよい。
【００７２】
【発明の効果】
以上説明したように本発明によれば、音声を検出して、検出した音声の音量レベル及び所定音量レベルを越えた持続時間を計測して、計測結果に基づいて音声録音を行うことによって、自動的に音声録音を行うことができるので、撮影前に予め設定することなく、音声録音を容易に行うことができる、という効果がある。
【図面の簡単な説明】
【図１】本発明の実施の形態に係わるデジタルカメラの外観を示す斜視図である。
【図２】本発明の実施の形態に係わるデジタルカメラの電気系の構成を示すブロック図である。
【図３】本発明の実施の形態に係わるデジタルカメラの動作の流れを示すフローチャートである。
【図４】撮影モードのサブルーチンを示すフローチャートである。
【図５】録音処理の流れを示すフローチャートである。
【図６】再生モードのサブルーチンを示すフローチャートである。
【符号の説明】
１０　　デジタルカメラ
２２　　レリーズスイッチ
６２　　メモリ
６６　　マイク
７０　　システム制御部
７６　　入出力Ｉ／Ｆ
８０　　メモリカード
８４　　内蔵メモリ
【図１】
2004023160.tif 000003
【図２】
2004023160.tif 000004
【図３】
2004023160.tif 000005
【図４】
2004023160.tif 000006
【図５】
2004023160.tif 000007
【図６】
2004023160.tif 000008